(57)【要約】【課題】ボールチャックにクランプ固定したワイヤ１を取り外すための専用のワイヤ取り外し用治具において、ボールチャックによるワイヤのクランプ解除操作が、手軽に行えるようにする。【解決手段】ボールチャック１５のケース２２の通口２８からケース２２内に差し込まれて、ケース２２に内蔵のホルダー２３をテーパー面２１の大径端側へ移動させる軸部３５と、軸部３５の一端に張り出したフランジ３６と有する。軸部３５およびフランジ３６には、これらの間にわたってワイヤ１を受け入れる溝３７が設けられている。【選択図】図５
2004286221.tif 000002
【特許請求の範囲】
【請求項１】
内面にボール操作用のテーパー面２１を有する筒状のケース２２と、
ケース２２内に組み込まれて、ケース２２の軸心に沿って往復移動できるホルダー２３と、
ホルダー２３で径方向へ移動可能に保持されるボール２４・２５と、
ホルダー２３をテーパー面２１の小径端側へ向かって移動付勢する圧縮コイル形のばね２６とを含み、
ケース２２の小径端側に通口２８が開口しており、
ケース２２の通口２８から差し込まれて、ホルダー２３の軸心に沿って通設したワイヤ通口３２に挿通されるワイヤ１を、テーパー面２１のくさび作用を受けたボール２４・２５でクランプ固定するボールチャック１５を対象とし、
ボールチャック１５によるワイヤ１のクランプ固定を解除するための治具３４が、ケース２２の通口２８からケース２２内に差し込まれて、ホルダー２３をテーパー面２１の大径端側へ移動させる軸部３５と、軸部３５の一端に張り出したフランジ３６と有し、
軸部３５およびフランジ３６の双方にわたってワイヤ１を受け入れる溝３７が設けられていることを特徴とするボールチャック用のワイヤ取り外し治具。
【発明の詳細な説明】
【技術分野】
【０００１】
本発明は、ワイヤのボールチャックに適用されるクランプ解除操作用のワイヤ取り外し治具に関する。
【背景技術】
【０００２】
本発明は、図１に示すごとく内面にボール操作用のテーパー面２１を有する筒状のケース２２と、ケース２２内に組み込まれて、ケース２２の軸心に沿って往復移動できるホルダー２３と、ホルダー２３で径方向へ移動可能に保持されるボール２４・２５と、ホルダー２３をテーパー面２１の小径端側へ向かって移動付勢する圧縮コイル形のばね２６とを含み、ケース２２の小径端側に通口２８が開口しており、ケース２２の通口２８から差し込まれて、ホルダー２３の軸心に沿って通設したワイヤ通口３２に挿通されるワイヤ１を、テーパー面２１のくさび作用を受けたボール２４・２５でクランプ固定するボールチャック１５を対象とする。かかるボールチャックは、特許文献１、特許文献２に公知である。
【特許文献１】特開平１０−３８０３４号公報
【特許文献２】実公昭６２−３７８５５号公報
【発明の開示】
【発明が解決しようとする課題】
【０００３】
問題は、ボールチャック１５からワイヤ１をいかにして取り外すかにある。この点に関し、従来はホルダー２３の先端部をケース２２の通口２８の外側に導出し、ホルダー先端部を押してホルダー２３の全体をテーパー面２１の大径端側へばね２６の付勢力に抗して移動させることにより、ワイヤ１のクランプ力を解除していた。
【０００４】
しかし、従来のクランプ解除方式では、いたずらを受けてワイヤが取り外されたり、弛んだ状態にされたりする。これを防ごうとすると、ボールチャック１５側の構造が複雑化していた。
【０００５】
そこで、本発明の目的は、ボールチャックの設置状態において部外者ではケースに内蔵のホルダーをクランプ解除操作ができないようにして、いたずらによるワイヤの取り外しなどを防止するにある。その一方で、本発明の目的は、事情を知る者にとってワイヤクランプの解除操作が手軽に行える専用の治具を提供することにある。
【課題を解決するための手段】
【０００６】
本発明は、前述のボールチャックを対象とし、ボールチャック１５によるワイヤ１のクランプ固定を解除するための治具３４が、ケース２２の通口２８からケース２２内に差し込まれて、ホルダー２３をテーパー面２１の大径端側へ移動させる軸部３５と、軸部３５の一端に張り出したフランジ３６と有し、軸部３５およびフランジ３６の双方にわたってワイヤ１を受け入れる溝３７が設けられていることを特徴とする。
【発明の効果】
【０００７】
本発明によれば、張られたワイヤ１にこれの外側から治具３４の溝３７を嵌合し、ワイヤ１に沿って治具３４を滑らせ、軸部３５をケース２２の通口２８に差し込み、フランジ３６を手にして軸部３５の差し込み端でホルダー２３をテーパー面２１の大径端側へばね２６の付勢力に抗して押し込むことにより、ホルダー２３のボール２４・２５によるワイヤのクランプを解除できる。したがって、本発明のワイヤ取り外し治具さえあれば、ボールチャック１５で緊張状態に張られたワイヤ１でも、簡単かつ確実にそのワイヤクランプを解除操作できる。ボールチャック１５側にはクランプ解除用部材を備えていないので、構造が複雑化せず、いたずらを受けてワイヤ１が取り外されるといった事態もよく防止できる。
【発明を実施するための最良の形態】
【０００８】
図１ないし図７はワイヤ緊張装置の実施例を示す。図３において符号１はステンレス材製のワイヤ、２はワイヤ１の一端を固定保持するワイヤ固定具、３はワイヤ１の他端に設けたワイヤ緊張具であり、これらの部材でワイヤ緊張装置が構成されている。
【０００９】
図２においてワイヤ固定具２は、ワイヤ１の端部にかしめ固定したエンド金具４を受け止める圧縮ばね５およびスラストベアリング６と、これら三者４・５・６を収容する有底筒状のケース７と、ケース７の開口端にねじ８を介して装着した取付金具９とからなる。ケース７、取付金具９およびエンド金具４はそれぞれステンレス鋼材で形成する。圧縮ばね５の一端に深絞り加工したキャップ状の受金具１０を内嵌装着し、この受金具１０でエンド金具４を受け止めている。圧縮ばね５の他端はケース７の内奥端に装填したスラストベアリング６で受け止める。スラストベアリング６は、圧縮ばね５を受け止めるラッパ状の保持リング６ａと、多数個のステンレス鋼材製のボール６ｂとからなる。ケース７の筒端にはワイヤ通口７ａを設けてある。
【００１０】
取付金具９は、周面に雄ねじが形成された有底筒状のキャップ１１と、キャップ１１をブラケット１２に締結するボルト１３とからなる。ブラケット１２は四角形、六角形、八角形等の角軸で形成してあり、その一端を取付対象に予め溶接しておく。キャップ１１の底壁にはブラケット１２に外嵌できる同じ断面形状の係合穴１４を通設する。キャップ１１をブラケット１２に外嵌した後、ボルト１３をキャップ１１の開口面の側からブラケット１２に設けたねじ穴にねじ込むことにより、キャップ１１を脱落不能に受け止めることができる。ボルト１３は六角穴付きボルトからなり、頭部の直径寸法を係合穴１４の対辺長よりも大きく設定する。先のケース７の開口側内面には、キャップ１１の雄ねじに対応する雌ねじが形成してある。
【００１１】
図１においてワイヤ緊張具３は、ワイヤ１の遊端をクランプ固定するボールチャック１５と、ボールチャック１５のケース２２の開口端に緊張ねじ１７を介してねじ込んだ取付金具１９とからなる。
【００１２】
ボールチャック１５は、内面にボール操作用のテーパー面２１を有する筒状のケース２２と、ケース２２内に組み込んだコーン形状のホルダー２３と、ホルダー２３で支持される大小２組のボール２４・２５と、ホルダー２３をテーパー面２１の小径端へ向かってクランプ付勢する圧縮コイル形のばね２６などで構成してあり、従来のボールチャックに比べて以下の点が異なる。ホルダー２３をばね２６の付勢力に抗してクランプ解除操作するための操作部を省略し、ホルダー２３の全体をケース２２の内部に位置させる。ケース２２の外面からホルダー２３を操作できないようにし、いたずらの余地を無くすためである。ホルダー２３には、その軸心に沿ってワイヤ通口３２を通設する。大小のボール２４・２５はそれぞれ３個を一組にして設けてあり、ワイヤ１を強固にクランプ固定できる。
【００１３】
ケース２２内に、ボール２４・２５が装填されたホルダー２３とばね２６を組み、ケース２２の内面に嵌め込んだ止め輪２７でばね２６の大径端を受け止めて、ボールチャック１５を一個のユニット部品化する。ケース２２の内奥端の中央には通口２８を通設し、ケース外周面に締結操作用の操作部２９を設ける。操作部２９はテーパー面２１に臨むケース外周面に設けた平行な一対の操作溝で形成する（図６参照）。ケース内面の開口端寄りには、緊張ねじ１７を構成する雌ねじ１７ｂを形成する（図３参照）。
【００１４】
取付金具１９は先に説明した取付金具９と同じ部品であって、その周面に上記の雌ねじ１７ｂに対応する雄ねじ１７ａを形成する。他は取付金具９と同じであるので同一部材には同じ符号を付して説明を省略する。なお、ケース２２、ホルダー２３および連結金具９・１９はそれぞれステンレス鋼材で形成してある。緊張ねじ１７のねじ込み代Ｓは、圧縮ばね５の圧縮代と同じか、これより大きく設定する。
【００１５】
ボール２４・２５によるクランプ力が一定値を越えるときに、ワイヤ１の撚りが解離されてクランプ力が急激に低下するのを防ぐために、大小２組のボール２４・２５のうち、小径のボール２５のみをステンレス鋼材で形成する。大径のボール２４は黄銅で形成し、電気防蝕のためにニッケルあるいはクロームメッキを施す。さらに、小径のボール２５のチャッキング径を基準にして、大径のボール２４のチャッキング径を、先のチャッキング径より僅かに大きく設定する。小径のボール２５がワイヤ１の周面に食い込み、ワイヤ１が解離し始める状態のとき、大径のボール２４がワイヤ１の表面に塑性変形しながら密着し、それ以上にワイヤ１の解離が進行するのを防ぐためである。この実施例では、小径のボール２５によるクランプ力を１００とするとき、大径のボール２４のクランプ力が８０前後になるように、各ボール２４・２５のチャッキング径を設定した。
【００１６】
次にワイヤ緊張装置を用いて、図７に示すように隣接する支柱３１・３１の間にワイヤ１を張り渡す場合の作業手順を説明する。ブラケット１２は各支柱３１に予め溶接しておく。まず、取付金具９・１９をそれぞれの開口面が対向する状態でブラケット１２に組み、ボルト１３を完全に締め込む。次に、図３に示すようにケース２２のねじ山の数条をキャップ１１のねじ溝にかみ合わせ、ケース２２のワイヤ通口２８からワイヤ１をホルダー２３内に差し込んで、ワイヤ１の遊端をボールチャック１５でクランプ固定する。同様にワイヤ固定具２のケース７を取付金具９にねじ込み、図２に示すようにキャップ１１がケース７内に入り込んでしまうまでケース７をねじ込む。このときは、圧縮ばね５が圧縮変形するので、ワイヤ固定金具２を容易にねじ込み操作できる。
【００１７】
上記のようにワイヤ１を仮張設した後、ケース２２の操作部２９にスパナ等の工具を当てがって、ケース２２を取付金具１９にねじ込み、ワイヤ１を徐々に緊張させる。最終的には、圧縮ばね５が全圧縮するまでケース２２をねじ込み操作して、ワイヤ１にたるみが生じる余地を無くす。なお、圧縮ばね５の全圧縮状態は、ケース２２のねじ込み力が急激に増加することで知ることができる。もちろん、上記とは異なる手順でワイヤ１を張り渡してもよい。先に述べた圧縮ばね５の圧縮代とは、ワイヤ１を仮張設したのち圧縮ばね５が全圧縮するまでのたわみ量、あるいは受金具１０の筒端がスラストベアリング６に接当するまでの圧縮ばね５のたわみ量のいずれかを意味する。
【００１８】
ワイヤ固定具２にスラストベアリング６が内蔵してあるので、ワイヤ２が各ケース７・２２のねじ込み操作によってねじり変形するのを確実に防止できる。ワイヤ１を張り渡した状態では、ホルダー２３がケース２２で覆い隠されて操作できないので、いたずらの余地を皆無にできる。ボルト１３がキャップ１１内に収容されることも、いたずらを排除することに役立っている。
【００１９】
張り渡したワイヤ１を取り外す必要がある場合には、図５に示す本発明のワイヤ取り外し治具３４でホルダー２３をクランプ解除する。ワイヤ取り外し治具３４は軸部３５の一端にフランジ３６を張り出して構成してあり、軸部３５およびフランジ３６の双方にわたってワイヤ１を受け入れる溝３７を設ける。軸部３５をケース２２の通口２８からケース内へ差し込み、ワイヤ取り外し治具３４の全体をケース内方へ押し込むと、ホルダー２３がテーパー面２１の大径端側へ移動するので、各ボール２４・２５によるクランプ力を解放してワイヤ１をボールチャック１５から取り外すことができる。
【００２０】
上記の実施例以外に、ボール２５はステンレス鋼材以外の鋼材や鋼合金で形成することができる。ボール２４は黄銅以外の銅合金や、鋼材より軟質の金属を適用できる。必要があれば、小径のボール２５を黄銅等の金属で形成し、大径のボール２４を鋼材で形成することができる。操作部２９は溝として形成する必要はなく、浅い穴や平行な平坦面で形成することができる。本発明のボールチャックは、ワイヤ緊張装置以外のワイヤクランプや、小径棒材のクランプとして適用することができる。スラストベアリング６は、市販のベアリングやスリップワッシャを流用できる。
【図面の簡単な説明】
【００２１】
【図１】ワイヤ緊張具の縦断面図である。
【図２】ワイヤ固定具の縦断面図である。
【図３】ワイヤ緊張装置を仮張設した状態の縦断面図である。
【図４】図１におけるＡ−Ａ線断面図である。
【図５】ワイヤ取り外し治具を示す断面図である。
【図６】小形のボールのクランプ状態を示す縦断側面図である。
【図７】ワイヤ緊張装置の使用例を示す正面図である。
【符号の説明】
【００２２】
１  ワイヤ
１５  ボールチャック
２１  テーパー面
２２  ケース
２３  ホルダー
２４  ボール
２５  ボール
２６  ばね
３４  ワイヤ取り外し治具
３５  軸部
３６  フランジ
３７  溝
【図１】
2004286221.tif 000003
【図２】
2004286221.tif 000004
【図３】
2004286221.tif 000005
【図４】
2004286221.tif 000006
【図５】
2004286221.tif 000007
【図６】
2004286221.tif 000008
【図７】
2004286221.tif 000009